(57)【特許請求の範囲】
【請求項１】
既存の扉に取り付けて遠隔操作により前記扉の施錠及び開錠を可能とする錠開閉装置であって、
筐体と、
前記筐体を前記扉のサムターンに固定するための固定治具と、
前記筐体内に収容され、前記サムターンを回転させて前記扉を施錠及び開錠する回転体と、
前記回転体に係合され、前記回転体を前記サムターンの回転方向に回転動作させる駆動部と、
前記扉の施錠及び開錠を指示する信号を受信する受信部と、
前記受信部で受信する指示に応じて前記駆動部を制御する制御部と、
本体部と、内部に前記サムターンが挿入される空洞が形成された矩形状の摘み部を有し、前記本体部に対して回転可能に取り付けられた回転部とを有する前記筐体のカバーと
を備えることを特徴とする錠開閉装置。
【請求項２】
前記回転体の施錠位置及び開錠位置を検出する位置検出器をさらに備えることを特徴とする請求項１に記載の錠開閉装置。
【請求項３】
請求項１又は請求項２に記載の錠開閉装置と、
前記錠開閉装置の識別番号、前記識別番号に対応する認証情報が関連づけて記憶された記憶部、ユーザにより入力された認証情報を受信する受信部、受信した認証情報が前記記憶部に記憶されている認証情報と一致するかを判定する判定部及び前記判定部で認証情報が一致すると判定された場合に前記認証情報に対応する識別番号の錠開閉装置に対して施錠及び開錠を許可する制御部を有する制御装置と
を備えることを特徴とする錠開閉システム。
【請求項４】
前記認証情報は、複数のユーザＩＤ及び前記複数のユーザＩＤの夫々に対するパスワードを含むことを特徴とする請求項３に記載の錠開閉システム。
【請求項５】
前記制御装置は、日時を計時する時計を備え、
前記認証情報は、前記複数のユーザＩＤの夫々に対して設定された前記錠開閉装置の操作可能期間を含み、
前記制御部は、前記錠開閉装置の操作可能期間に基づいて、前記施錠及び開錠を許可することを特徴とする請求項４に記載の錠開閉システム。
【請求項６】
前記認証情報の入力は、携帯端末から行われることを特徴とする請求項３乃至請求項５のいずれかに記載の錠開閉システム。
【発明の詳細な説明】
【技術分野】
【０００１】
本発明は、遠隔操作により扉の施錠及び開錠を行う錠開閉装置及び錠開閉システムに関する。
【背景技術】
【０００２】
扉の鍵を遠隔操作により施錠及び開錠できる錠開閉システムのニーズが高まっている。例えば、賃貸物件を借りる場合、見込み客を実際に室内に案内するいわゆる内覧が行われる。内覧を行うためには物件の家主等から鍵を借り受ける必要があり手続きが非常に煩わしいという問題がある。
【０００３】
しかしながら、鍵の複製や物件近く（例えば、ポスト内や機械室内）に鍵を隠しておくことはセキュリティ上好ましくない。また、オフィスにおいても、複数の従業員が出入りする場合、従業員の人数分だけ鍵を複製したり、オフィス近くに鍵を隠しておくことはセキュリティ上好ましくない。
【０００４】
さらに、近年では、ＳＮＳ(Social Networking Service)等において、部屋を貸す人と借りる人とをマッチングさせるサービスが提供されている。該サービスでは、業者を介することなく個人間で部屋を貸し借りすることができ、例えば、自宅を留守にする間、他人に貸し出すといったことが可能となる。しかしながら、この場合も、留守の間に他人に自宅の鍵を貸し出すことは、セキュリティ上好ましくない。
【０００５】
以上のように、扉を遠隔操作により施錠及び開錠できる錠開閉システムが求められているが、従来の錠開閉システムは、遠隔操作により施錠及び開錠が可能な鍵が予め扉に内蔵されているものが主流となっている（例えば、特許文献１参照）。
【先行技術文献】
【特許文献】
【０００６】
【特許文献１】特開平１０−２９２６８８号公報
【発明の概要】
【発明が解決しようとする課題】
【０００７】
上記のように、従来の錠開閉システムでは、遠隔操作により施錠及び開錠が可能な鍵が予め扉に内蔵されていたり、取り付けのために穴を開けることが必要となる。このため鍵を遠隔操作により施錠及び開錠するためには扉を交換したり、取り付けのために穴を開ける必要があり作業が非常に大がかりとなる問題がある。また、費用も高額となる問題がある。さらに、賃貸物件の場合は、そもそも扉を交換したり、穴を開けるこができなかったり、退去時に扉をもとに戻す（原状回復を行う）必要があるという問題がある。
【０００８】
本発明は、上記課題の解決のためになされたものであり、既存の扉に容易に取り付けることができ、遠隔操作により扉の施錠及び開錠が可能な錠開閉装置及び錠開閉システムを提供することを目的とする。
【課題を解決するための手段】
【０００９】
上記の課題を解決すべく、本発明に係る錠開閉装置は、既存の扉に取り付けて遠隔操作により扉の施錠及び開錠を可能とする錠開閉装置であって、筐体と、筐体を前記扉のサムターンに固定するための固定治具と、筐体内に収容され、サムターンを回転させて扉を施錠及び開錠する回転体と、回転体と係合され、回転体をサムターンの回転方向に回転動作させる駆動部と、扉の施錠及び開錠を指示する信号を受信する受信部と、受信部で受信する指示に応じて駆動部を制御する制御部とを備えることを特徴とする。このため既存の扉に取り付けて遠隔操作により扉を施錠及び開錠することができる。
【００１０】
本発明に係る錠開閉装置は、回転体のサムターン側とは反対側に設けられた平面視において矩形状の凸部をさらに備えることを特徴とする。このため錠開閉装置を扉に取り付けた状態でも、矩形状の凸部の向き（角度）から扉が施錠されているか開錠されているかを確認することができる。また、凸部を把持して回転させることで、手動（マニュアル）で扉を施錠及び開錠することができる。このため例えば、火事や地震等の緊急時においても手動で扉を開錠して安全に避難することができる。
【００１１】
本発明に係る錠開閉装置は、回転体の施錠位置及び開錠位置を検出する位置検出器をさらに備えることを特徴とする。このため扉を確実に施錠及び開錠することができる。このためセキュリティ性が向上する。
【００１２】
本発明に係る錠開閉システムは、錠開閉装置と、錠開閉装置の識別番号、識別番号に対応する認証情報が関連づけて記憶された記憶部、ユーザにより入力される認証情報を受信する受信部、受信した認証情報が、記憶部に記憶されている認証情報と一致するかを判定する判定部及び判定部で認証情報が一致すると判定された場合に認証情報に対応する識別番号の錠開閉装置に対して施錠及び開錠を許可する制御部を有する制御装置とを備えることを特徴とする。このため許可されたユーザだけが遠隔操作により扉を施錠及び開錠することができるのでセキュリティ性が向上する。
【００１３】
本発明に係る錠開閉システムは、認証情報に、複数のユーザＩＤ及び複数のユーザＩＤの夫々に対するパスワードを含むことを特徴とする。このため一つの錠開閉装置に対して複数のユーザに開錠及び施錠の権限を与えることができるので、ユーザの利便性が向上する。
【００１４】
本発明に係る錠開閉システムは、制御装置が日時を計時する時計を備え、認証情報に複数のユーザＩＤの夫々に対して設定された前記錠開閉装置の操作可能期間を含み、制御部は、錠開閉装置の操作可能期間に基づいて施錠及び開錠を許可することを特徴とする。このため、ユーザごとに扉の施錠及び開錠が可能な期間を設定することができるのでユーザの利便性が向上する。
【００１５】
本発明に係る錠開閉システムは、認証情報の入力が携帯端末から行われることを特徴とする。ユーザは、携帯可能な端末から扉の施錠及び開錠をすることができるので利便性が向上する。
【発明の効果】
【００１６】
以上説明したように、本発明によれば、既存の扉に容易に取り付けることができ、遠隔操作により扉の施錠及び開錠が可能な錠開閉装置及び錠開閉システムを提供することができる。
【図面の簡単な説明】
【００１７】
【図１】錠開閉システムの概略図である。
【図２】錠開閉装置の構成図である。
【図３】錠開閉装置の分解構成図である。
【図４】錠開閉装置の取り付け方法の説明図である。
【図５】錠開閉装置の取り付け方法の説明図である。
【図６】錠開閉システムに係るサーバの機能構成図である。
【図７】錠開閉システムの表示画面の一例である。
【図８】錠開閉システムの表示画面の一例である。
【図９】錠開閉システムの表示画面の一例である。
【図１０】錠開閉システムの表示画面の一例である。
【図１１】錠開閉システムの表示画面の一例である。
【図１２】錠開閉システムの動作を示すフローチャートである（ユーザ登録時）。
【図１３】錠開閉システムの動作を示すフローチャートである（操作時）。
【図１４】錠開閉システムの動作を示すフローチャートである（自動動作時）。
【発明を実施するための形態】
【００１８】
以下、図面を参照して本発明の実施の形態を説明する。
【００１９】
（実施形態）
初めに、図１を参照して錠開閉システム１の概要について説明する。錠開閉システム１は、既存の扉３００に取り付けられて、扉３００のサムターンを回転させることにより扉を施錠及び開錠する錠開閉装置１００と、錠開閉装置１００にネットワーク４００を介して接続され、錠開閉装置１００の動作を制御するサーバ２００（制御装置）とを備えている。
【００２０】
錠開閉装置１００は、無線通信用のアンテナを備え、ネットワーク４００と接続されたアクセスポイント５００を介してサーバ２００と接続される。ユーザＵが携帯端末（例えば、スマートホンやタブレット端末）６００（制御装置）やＰＣ（Personal Computer）７００からサーバ２００へログインすると、サーバ２００によりＩＤ及びパスワードの認証が行われる。認証が正常であれば、ユーザＵは、携帯端末６００やＰＣ７００からサーバ２００を介して錠開閉装置１００の操作が可能となる。
【００２１】
図２は、錠開閉装置１００の構成図である。図２（ａ）は、錠開閉装置１００の平面図である。図２（ｂ）は、錠開閉装置１００の側面図である。また、図３は、錠開閉装置１００の分解構成図である。図３（ａ）は、カバー１１０の平面図である。図３（ｂ）は、筐体１２０の平面図である。図３（ｃ）は、回転体１３０の平面図である。図３（ｄ）は、固定治具１４０の平面図である。以下、図２及び図３を参照して、錠開閉装置１００の構成について説明する。
【００２２】
錠開閉装置１００は、大きく４つの部材から構成される。錠開閉装置１００は、カバー１１０、筐体１２０、回転体１３０及び固定治具１４０を備える。カバー１１０は、本体部１１１と、本体部１１１に回転可能に取り付けられ、矩形状の摘み部１１３を有する回転部１１２とを備える。摘み部１１３の内部は空洞となっており、該空洞内にサムターンの摘み部が挿入される。このため摘み部１１３を摘まんで回転部１１２を回転動作させることで、手動により扉の施錠及び開錠を行うことができる。
【００２３】
筐体１２０は、底板１２１と、枠体１２２と、駆動部１２３と、回路基板１２４と、電源ボックス１２５と、製造番号等が記載されたシール１２６を備える．また、筐体１２０の側面には、電源をＯＮ／ＯＦＦするためのスイッチ（SW）が設けられている。底板１２１は、中心部にサムターンを露出させるための開口１２７が形成されている。枠体１２２は、底板１２１の周囲に立設して設けられている。駆動部１２３は、開口１２７を取り囲むようにして回転可能に底板１２１上に設けられており、図示しないモータ等から駆動力を得て回転動作する。駆動部１２３には、回転体１３０を勘合するための凹部１２８が略４５度ごとに計８か所形成されている。
【００２４】
なお、開口１２７は、底板１２１の片側（図３（ｂ）では下側）に片寄って設けられている。このため、ドアノブに干渉することなくスムーズに扉３００のサムターンに錠開閉装置１００を取り付けることができる。また、駆動部１２３には、後述の回転体１３０の施錠位置及び開錠位置を検出する位置検出器（不図示）を備えている。このため扉３００を確実に施錠及び開錠することができる。さらに、平面視における筐体１２０の形状を矩形ではなく、丸みを帯びた形状としてもよい。
【００２５】
回路基板１２４は、駆動部１２３の回転動作を制御する制御回路（制御部）や無線通信用のアンテナ（受信部）等を搭載する。なお、回路基板１２４の制御回路は、駆動部１２３の位置検出器（不図示）からの信号を受信し、扉の施錠及び開錠を検知して駆動部１２３の動作を制御する。電源ボックス１２５は、電池等の電源を収容する。
【００２６】
回転体１３０は、略円形状の板状の部材である。回転体１３０は、略中央部にサムターンの摘み部を挿入するための開口１３１が形成されている。なお、図３（ｃ）では、開口１３１は平面視で楕円形状となっているがサムターンの摘み部を挿入して回転させることができれば他の形状（例えば、平面視で矩形状）であってもよい。
【００２７】
また、回転体１３０の周囲には、駆動部１２３の凹部１２８と勘合させるための突出部１３２が略４５度ごとに計８か所形成されている。回転体１３０の突出部１３２を駆動部１２３の凹部１２８に勘合させる（嵌め込む）ことにより、回転体１３０は、駆動部１２３に固定され、駆動部１２３とともに回転動作する。回転体１３０は、例えば、３Ｄプリンタを使用して作製する。３Ｄプリンタを使用することで個別のサムターンの形状に合わせて短納期で作製することができる。
【００２８】
なお、駆動部１２３及び回転体１３０の形状は、回転体１３０を駆動部１２３と勘合することができればよく、他の形状であってもよい。
【００２９】
固定治具１４０は、金属製（例えば、ステンレス鋼）の板状の治具であり、錠開閉装置１００を扉のサムターンに固定するために使用される。固定治具１４０は、平面視で円形状であり、中央部にまで達する切欠き部１４１が形成されている。また、固定治具１４０の周囲には、筐体１２０を固定治具１４０に固定するための半円形状の突出部１４２が設けられている。なお、突出部１４２の形状は、筐体１２０を固定することができれば良く半円形状に限られない。また、突出部１４２の数も２つに限られない。
【００３０】
次に、図４及び図５を参照して、錠開閉装置１００の取り付け方について説明する。初めに、固定治具１４０の切欠き部１４１をサムターン３１０側にして（図４（ａ）参照）、固定治具１４０をサムターン本体３１１の下側に挟み込む（図４（ｂ）参照）。具体的には、サムターン３１０のネジ３１３を緩めて固定治具１４０をサムターン本体３１１の下側に挟み、サムターン３１０のネジ３１３を締める。なお、固定治具１４０をサムターン本体３１１の下側に挟む以外の方法で、固定治具１４０をサムターン３１０や扉３００に固定してもよい（例えば、粘着テープを使用する等）。
【００３１】
次に、筐体１２０の開口１２７からサムターン３１０を露出させた状態で、固定治具１４０の突出部１４２を筐体１２０の底板１２１に引っ掛けるようにして筐体１２０を固定する（図４（ｃ）参照）。なお、筐体１２０を磁石や粘着テープにより固定治具１４０に固定するようにしてもよい。
【００３２】
次に、サムターン３１０の摘み部３１２を回転体１３０の開口１３１に挿入するようにして、回転体１３０の突出部１３２を駆動部１２３の凹部１２８に勘合させる。これにより、回転体１３０が駆動部１２３に固定される（図５（ａ）参照）。
【００３３】
次に、カバー１１０を筐体１２０に取り付ける。この際、回転部１１２内部の空洞（不図示）にサムターン３１０の摘み部３１２が挿入されるように、回転部１１２の向きをサムターン３１０の摘み部３１２の向きに合わせてカバー１１０を筐体１２０に取り付ける（図５（ｂ）参照）。
【００３４】
以上により、錠開閉装置１００の扉への取り付けは完了する。このように、本発明の錠開閉装置１００は、既存の扉に容易に取り付けることができる。また、ネジ等で扉に取り付ける必要がないため、扉を傷つける心配がなく、原状回復が必要な賃貸物件等でも使用することができる。
【００３５】
図６は、錠開閉システム１に係るサーバ２００の機能構成図である。サーバ２００は、通信部２１０、記憶部２２０、判定部２３０、制御部２４０、画像生成部２５０及びクロック部２６０を備える。
【００３６】
通信部２１０は、錠開閉装置１００、携帯端末６００及びＰＣ７００との間で制御信号を含むデータの送受信を行う。
【００３７】
記憶部２２０には、錠開閉システム１の運用に必要なデータを記憶している。記憶部２２０には、錠開閉装置１００ごとに、シリアル番号、名称及びユーザ名が関連付けて記憶されている。また、各ユーザには、権限（Authority）、メールアドレス、ステータス、識別番号（ＩＤ）、パスワード（Pass Ward）等が関連付けられている。
【００３８】
シリアル番号は、錠開閉装置１００のサプライヤにより付与された番号である。ユーザは、錠開閉装置１００を購入した後、Ｗｅｂサイト上でユーザ登録を行い、所定の初期設定を行う。該ユーザ登録及び設定により、錠開閉装置１００のシリアル番号に名称、ユーザ名、権限（Authority）、メールアドレス、ステータス、ＩＤ、パスワード（Pass Ward）等が関連付けて記憶部２２０に記憶される。
【００３９】
判定部２３０は、ユーザ登録後にユーザにより入力され、通信部２１０で受信されたＩＤ及びパスワードからなる認証情報が記憶部２２０に記憶されているＩＤ及びパスワード（認証情報）と一致するか等を判定する。制御部２４０は、錠開閉システム１の制御を行う。例えば、制御部２４０は、判定部２３０で認証情報が一致すると判定された場合に認証情報に対応する錠開閉装置１００に対して施錠及び開錠を許可する。なお、判定部２３０及び制御部２４０の具体的な動作については図１３，図１４を参照して説明する。
【００４０】
画像生成部２５０は、ユーザ登録や設定に必要な画像データを生成する。生成した画像データは、通信部２１０により携帯端末６００やＰＣ７００に送信され、携帯端末６００やＰＣ７００のモニタに表示される。クロック部２６０は、時計であり、日時を計測する。
【００４１】
次に、携帯端末６００やＰＣ７００に表示される表示画面について説明する。図７〜図１１は、表示画面の一例を示す図である。図７は、ログイン画面の一例を示す図である。ユーザが携帯端末６００やＰＣ７００でサーバ２００にアクセスすると、初めに図７に示すログイン画面が表示される。ユーザは、自分のＩＤをボックス１０１１、パスワードをボックス１０１２に入力し、Ｌｏｇ−Ｉｎボタン１０１３をクリックすることでログインすることができる。
【００４２】
図８は、トップ画面の一例を示す図である。このトップ画面は、ログイン後に初めに表示される画面である。このトップ画面では、ユーザは、自身の保有する複数の錠開閉装置１００の名前、シリアル番号、状態、ユーザ数、開錠日時、施錠日時、オートロック機能が有効か否か（Auto Lock）等を項目１０２１（Lock Name）、項目１０２２(Serial No.)、項目１０２３(Status)、項目１０２４(User)、項目１０２５（Open）、項目１０２６（Close）、項目１０２７（Auto Lock）で夫々確認することができる。なおトップ画面は、画面上部の「トップ」ボタン１００１をクリックすることでも表示される。
【００４３】
図９は、設定画面の一例を示す図である。設定画面では、ユーザは、自身の保有する錠開閉装置１００毎に、錠の自動開閉の設定を行うことができる。この設定画面では、項目１０３１（Timer）で日程及び開錠日時（Open）及び施錠日時（Close）を保有する錠開閉装置１００毎に設定することができる。なお、設定する錠開閉装置１００の切り替えは、「玄関の鍵」と書かれた右横の▼をタッチすると、登録されている錠開閉装置１００の名前が列記されたプルダウンが表示されるので、該プルダウンから設定したい錠開閉装置１００を選択する。
【００４４】
錠開閉装置１００は、項目１０３１で設定した日時になると自動で錠を開閉する。図９に示す例では、２０１４年８月３日２３時３５分に開錠、２０１４年８月２日２３時３５分に施錠が自動で行われる。また、毎日、８時３０分に開錠が自動で行われる。なお設定画面は、画面上部の「設定」ボタン１００４をクリックすることでも表示される。
【００４５】
また、ユーザは、項目１０３２でオートロック機能の有効、無効を設定することができる。オートロック機能を有効にする場合、ユーザは、開錠から何秒後に施錠するかについても設定することができる。図９に示す例では、開錠から５秒後に自動で施錠されるように設定されている。さらに、ユーザは、項目１０３３で無線ＬＡＮへの接続間隔についても設定することができる。図９に示す例では、無線ＬＡＮへの接続間隔が５分間隔となるように設定されている。なお、図９では、各設定の設定者名が履歴として表示される。
【００４６】
図１０は、ユーザ管理画面の一例を示す図である。ユーザ管理画面では、錠開閉装置１００毎に、錠開閉装置１００の操作を許可するユーザの登録と、各ユーザの権限、操作の許可期間、メールアドレス、状態等を項目１０４１（User）、項目１０４２（Authority）、項目１０４３（Timer）、項目１０４４（Mail）、項目１０４５（Status）で夫々設定することができる。また、ユーザは、項目１０４６（Send Mail）で必要に応じてメールを送信することができる。
【００４７】
図１０に示す例では、山田一郎には、管理者としての権限が与えられ、錠開閉装置１００の操作が常時許可されていることがわかる。また、伊藤健司には、ユーザとしての権限が与えられ、８月１３日８時３０分から８月１３日１８時００分まで錠開閉装置１００の操作が許可されていることがわかる。
【００４８】
また、山田三郎には、ユーザとしての権限が与えられ、７月２０日０時００分から１２月３１日２３時５９分まで錠開閉装置１００の操作が許可されていることがわかる。さらに、佐藤次郎には、管理者としての権限が与えられているが、ステータスがDisableであることから錠開閉装置１００の操作が許可されていないことがわかる。なお、新たにユーザを追加する場合は、画面下段のInvite（招待）の項目１０４７に必要な事項を入力してメールのアイコンをクリックすることで招待メールが送信される。
【００４９】
なお、管理者の権限が与えられているユーザは、ユーザ管理画面での設定が可能である。また、ユーザの権限が与えられているユーザは、ユーザ管理画面での設定はできず、施錠及び開錠の操作のみが可能である。なおユーザ管理画面は、画面上部の「ユーザ管理」ボタン１００２をクリックすることでも表示される。
【００５０】
図１１は、履歴画面の一例を示す図である。この履歴画面では、ユーザは、錠開閉装置１００毎の操作履歴を参照することができる。具体的には、いつ、だれが、錠開閉装置１００を施錠又は開錠したかを項目１０５１，１０５２（Date, Time）、項目１０５３（User）、項目１０５４（Action）で夫々参照することができる。また、ユーザは、項目１０５５(From)で錠開閉装置１００の操作がＷｅｂサイト経由であるのか、携帯端末６００にインストールされたアプリケーションソフト経由であるのか、自動的に行われたのかを参照することができる。さらにユーザは、項目１０５６（CSV Download）をクリックすることで、履歴をＣＳＶ形式でダウンロードすることも可能である。なお履歴は、画面上部の「履歴」ボタン１００３をクリックすることでも表示される。
【００５１】
図１２は、錠開閉システム１のユーザ登録時の動作を示すフローチャートである。初めに、ユーザは、錠開閉装置１００を購入すると、携帯端末６００やＰＣ７００から錠開閉システム１用のＷｅｂサイトにアクセスする（ステップＳ１０１）。次に、ユーザは、アクセス後に表示される画面でユーザ登録を行う（ステップＳ１０２）。次に、ユーザは、錠開閉システム１のアプリケーションソフトを携帯端末６００にダウンロードする（ステップＳ１０３）。なお、ユーザ登録前にアプリケーションソフトをダウンロードし、アプリケーションソフト上でユーザ登録を行ってもよい。また、Ｗｅｂサイト上から操作を行う場合、アプリケーションソフトはダウンロードしなくともよい。
【００５２】
なお、錠開閉装置１００にＱＲコード（登録商標）等が印刷されているシールを貼っておき、ユーザが携帯端末６００のカメラで該シールに印刷されたＱＲコードを読み取ると、上記アプリケーションソフトをダウンロードできるＷｅｂサイトにアクセスできるようにしてもよい。
【００５３】
次に、ユーザは、ダウンロードしたアプリケーション又はＷｅｂサイト上から、ユーザ登録時に設定したＩＤ及びパスワードを使って図７に示すログイン画面からログインを行う（ステップＳ１０４）。次に、ユーザは、図９の設定画面から錠開閉装置１００の設定を行う（ステップＳ１０５）。また、ユーザは、必要に応じて図１０のユーザ管理画面からユーザの権限の設定等を行うとともに、他のユーザへ招待メールを送信する（ステップＳ１０６）。
【００５４】
図１３は、錠開閉システム１のユーザによる操作時の動作を示すフローチャートである。ユーザは、携帯端末６００にインストールしたアプリケーションを起動、もしくは携帯端末６００又はＰＣ７００からＷｅｂサイトにアクセスし、図７のログイン画面にＩＤ及びパスワードを入力してLog-Inボタンをクリックする。すると、入力されたＩＤ及びパスワードからなる認証情報が送信され、サーバ２００の通信部２１０で受信される（ステップＳ２０１）。
【００５５】
次に、判定部２３０は、受信されたＩＤ及びパスワードからなる認証情報が記憶部２２０に記憶されているＩＤ及びパスワード（認証情報）と一致するかを判定する（ステップＳ２０２）。次に、判定部２３０は、認証情報が一致すると判定された場合（ステップＳ２０２のＹｅｓ）、クロック部２６０で計時される現在日時が、記憶部２２０を参照して、操作の許可期間内である錠開閉装置１００が存在するかを判定する（ステップＳ２０３）。なお、判定部２３０で認証情報が一致しない場合（ステップＳ２０２のＮｏ）は、ステップＳ２０１の動作に戻る。
【００５６】
操作の許可期間内である錠開閉装置１００が存在する場合（ステップＳ２０３のＹｅｓ）、判定部２３０は、記憶部２２０を参照して、操作の許可期間内である錠開閉装置１００の状態が「Enable」であるかを判定する（ステップＳ２０４）。
【００５７】
操作の許可期間内である錠開閉装置１００の状態が「Enable」である場合（ステップＳ２０４のＹｅｓ）、制御部２４０は、ユーザによる錠開閉装置１００に対する施錠及び開錠の操作を許可する（ステップＳ２０５）。なお、操作の許可期間内である錠開閉装置１００が存在しない場合（ステップＳ２０３のＮｏ）及び設定されている状態が「Enable」でない場合（ステップＳ２０４のＮｏ）、画像生成部２５０は、エラーを携帯端末６００やＰＣ７００の画面に表示させる（ステップＳ２０８）。また、錠開閉に失敗した旨を、操作を行ったユーザにメールで送信してもよい。
【００５８】
施錠及び開錠を許可後は、ユーザは、錠開閉装置１００の施錠及び開錠の操作が可能となる。制御部２４０は、ユーザからの入力指示に基づいて、錠開閉装置１００に対して施錠及び開錠を指示する信号を送信する（ステップＳ２０６）。施錠及び開錠を指示する信号は、通信部２１０により錠開閉装置１００に送信され、錠開閉装置１００は、サーバ２００からの信号に基づいて扉を施錠及び開錠する。また、制御部２４０は、ユーザ及びタイマ設定による錠開閉装置１００の操作履歴を記憶部２２０に記憶する（ステップＳ２０７）。
【００５９】
図１４は、錠開閉システム１の自動動作時の動作を示すフローチャートである。初めに、制御部２４０は、定期的に記憶部２２０を参照して、施錠又は開錠の日時が設定されているかを確認する（ステップＳ３０１）。施錠又は開錠の日時が設定されている場合（ステップＳ３０１のＹｅｓ）、制御部２４０は、クロック部２６０で計時される日時に基づいて、設定されている施錠又は開錠の日時であるかを確認する（ステップＳ３０２）。
【００６０】
設定されている施錠又は開錠の日時である場合（ステップＳ３０２のＹｅｓ）、制御部２４０は、施錠又は開錠を指示する信号を、通信部２１０を介して錠開閉装置１００に送信し、扉を施錠又は開錠する（ステップＳ３０３）。なお、設定されている施錠又は開錠の日時でない場合（ステップＳ３０２のＮｏ）、制御部２４０は、ステップＳ３０１の動作に戻る。
【００６１】
以上のように、本発明の錠開閉装置１００は、筐体１２０と、筐体１２０を扉のサムターン３１０に固定するための固定治具１４０と、筐体１２０内に収容され、サムターン３１０を回転させて扉３００を施錠及び開錠する回転体１３０と、回転体１３０と係合され、回転体１３０をサムターン３１０の回転方向に回転動作させる駆動部１２３と、扉３００の施錠及び開錠を指示する信号を受信する受信部（回路基板１２４）と、受信した指示に応じて駆動部１２３を制御する制御部（回路基板１２４）とを備えることを特徴とする。このため既存の扉３００に取り付けて遠隔操作により扉３００を施錠及び開錠することができる。
【００６２】
また、錠開閉装置１００は、回転体１３０のサムターン３１０側とは反対側に設けられた平面視において矩形状の摘み部１１３をさらに備えることを特徴とする。このため錠開閉装置１００を扉３００に取り付けた状態でも、矩形状の摘み部１１３の向き（角度）から扉３００が施錠されているか開錠されているかを確認することができる。また、摘み部１１３を把持して回転させることで、手動（マニュアル）で扉３００を施錠及び開錠することができる。このため例えば、火事や地震等の緊急時においても手動で扉３００を開錠して安全に避難することができる。
【００６３】
さらに、錠開閉装置１００は、回転体１３０の施錠位置及び開錠位置を検出する位置検出器をさらに備えることを特徴とする。このため扉３００を確実に施錠及び開錠することができる。このためセキュリティ性が向上する。
【００６４】
また、本発明に係る錠開閉システム１は、錠開閉装置１００と、錠開閉装置１００の識別番号、識別番号に対応する認証情報が関連づけて記憶された記憶部２２０、ユーザにより入力される認証情報を受信する受信部（通信部２１０）、受信した認証情報が、記憶部２２０に記憶されている認証情報と一致するかを判定する判定部２３０及び判定部で認証情報が一致すると判定された場合に認証情報に対応する識別番号の錠開閉装置に対して施錠及び開錠を許可する制御部２４０を有するサーバ２００とを備えることを特徴とする。このため許可されたユーザだけが遠隔操作により扉３００を施錠及び開錠することができるのでセキュリティ性が向上する。
【００６５】
また、錠開閉システム１は、認証情報に、複数のユーザＩＤ及び複数のユーザＩＤの夫々に対するパスワードを含むことを特徴とする。このため一つの錠開閉装置１００に対して複数のユーザに開錠及び施錠の権限を与えることができるのでユーザの利便性が向上する。
【００６６】
また、錠開閉システム１は、サーバ２００が日時を計時するクロック部２６０を備え、認証情報に複数のユーザＩＤの夫々に対して設定された錠開閉装置１００の操作可能期間を含み、制御部は、錠開閉装置１００の操作可能期間に基づいて施錠及び開錠を許可することを特徴とする。このためユーザごとに扉３００の施錠及び開錠が可能な日時を設定することができるのでユーザの利便性が向上する。
【００６７】
さらに、錠開閉システム１は、認証情報の入力が携帯端末６００から行われることを特徴とする。ユーザは、携帯可能な携帯端末６００から扉３００の施錠及び開錠をすることができるので利便性が向上する。なお、上記実施形態では、サーバ２００を介して錠開閉装置１００を操作できるよう構成されているが、携帯端末６００からサーバ２００を介さず、直接錠開閉装置１００を操作できるようにしてもよい。この場合、サーバ２００の機能を携帯端末６００にも持たせればよい。
【産業上の利用可能性】
【００６８】
以上で説明したように、本発明は、既存の扉に容易に取り付けることができ、遠隔操作により扉の施錠及び開錠が可能な錠開閉装置及び錠開閉システムを提供することができるので、賃貸物件の内覧やオフィスの入退室の管理、部屋の一時的な貸し借り等に利用することができる。
【符号の説明】
【００６９】
１  錠開閉システム
１００  錠開閉装置
１１０  カバー
１２０  筐体
１３０  回転体
１４０  固定治具
２００  サーバ
２１０  通信部
２２０  記憶部
２３０  判定部
２４０  制御部
２５０  画像生成部
２６０  クロック部
３００  扉
３１０  サムターン
４００  ネットワーク
５００  アクセスポイント
６００  携帯端末
７００  ＰＣ（Personal Computer）
【要約】
【課題】既存の扉に容易に取り付けることができ、遠隔操作により扉の施錠及び開錠が可能な錠開閉装置及び錠開閉システムを提供すること。
【解決手段】錠開閉装置は、既存の扉に取り付けて遠隔操作により扉の施錠及び開錠を可能とする錠開閉装置であって、筐体と、筐体を前記扉のサムターンに固定するための固定治具と、筐体内に収容され、サムターンを回転させて扉を施錠及び開錠する回転体と、回転体と係合され、回転体をサムターンの回転方向に回転動作させる駆動部と、扉の施錠及び開錠を指示する信号を受信する受信部と、受信部で受信する指示に応じて駆動部を制御する制御部とを備えることを特徴とする。
【選択図】図１【図１】
0005686269.tif 000002
【図２】
0005686269.tif 000003
【図３】
0005686269.tif 000004
【図４】
0005686269.tif 000005
【図５】
0005686269.tif 000006
【図６】
0005686269.tif 000007
【図７】
0005686269.tif 000008
【図８】
0005686269.tif 000009
【図９】
0005686269.tif 000010
【図１０】
0005686269.tif 000011
【図１１】
0005686269.tif 000012
【図１２】
0005686269.tif 000013
【図１３】
0005686269.tif 000014
【図１４】
0005686269.tif 000015